(57)【要約】      （修正有）【課題】繰り返し着脱してもピンの位置精度及び保持力が変化しない雌型面板位置決め用ピンを提供する。【解決手段】雌型面板装着用ピン１と、そのピンを支持する本体２より成る機構とし、ピンを支持する本体は、トムソン抜型への装着機能と、ピンの支持機能を持ち、トムソン抜型への装着は罫線刃、切れ刃、及びそれに類する刃を利用して、例えば磁石４の引着力を用いて装着を行うことで実現する。【選択図】図−１
2012081573.tif 000002
【特許請求の範囲】
【請求項１】
雌型面板を装着するピンと、そのピンを支持する本体部により構成し、トムソン抜型への着脱は本体部をもって行う事を特徴とするピン治具。
【発明の詳細な説明】
【発明の詳細な説明】
【産業上の利用分野】
【０００１】  本発明は例えば、段ボール、板紙又は樹脂フィルムの折れ線溝をプレス成型加工する時使用する雌型面板（面板と称するのが一般的である：以降面板と呼ぶ）を、トムソン抜型へ取り付け転写する工程で使用する面板装着用位置決めピンに関するものである。
【背景技術】
【０００２】  従来方法は、面板を装着するピンをトムソン抜型の合板部位に穴加工を施して取り付けるか、又は板ばね治具を取り付けてそれにピン装着するかのどちらかが一般的な方法である。
両者共に、ピンは面板転写後トムソン抜型から取り外すか、又は押し込む必要があり、転写毎にピンの抜き挿しをこすりながら繰り返し行う事になる。【０００３】  ピンの固持方法として、木質合板及び板ばねの弾性を利用した摩擦抵抗力により行い、抜き挿し着脱の繰り返しにより生じる摩耗又は応力により、穴形状及び板ばねとその取り付け部が変形し、ガタを発生させる。
ガタが発生する事により、ピン位置精度の悪化及び保持力低下をきたす。【０００４】  上記から現状方法では、面板装着用位置決めピンの繰り返し利用において、転写位置のズレ及び面板の保持力不足を発生させる状況を抱えている。
以上のことから、従来の雌型面板位置決め用ピンの取り付け方法は問題を抱えている。
【発明が解決しようとする課題】
【０００５】  上記両説明でも明らかなように、上記公知の取り付け方法から生じる問題を解決することにある。
【０００６】  本発明は、上記の問題点を解決するためになされたもので、繰り返し着脱してもピンの位置精度及び保持力が変化しない雌型面板位置決め用ピンを提供することに有る。
【課題を解決するための手段】
【０００７】  上記課題を解決するために、本発明は、雌型面板装着用ピンと、そのピンを支持する本体部位より成る構成とし、トムソン抜型へは着脱は本体部位を持って行うことを特徴とする。
【０００８】  本体部位は、トムソン抜型への装着機能と、ピンの支持機能を持ち、トムソン抜型への装着は本体部位をもって成し、トムソン抜型の合板及び打ち込まれた罫線刃、切れ刃、及びそれに類する刃に装着を行う事を特徴とする。
刃類に磁力を利用して装着することも一つの方法であり特徴に加える事も望ましい。
【０００９】  本体部に、摩耗対策及び精度保証を容易成しめる為に、金属材料を使用することを特徴とする。
【００１０】  加える事、本体部へ挿入するピンは、転写動作時に被転写盤と接触する可能性が大なる事から、被転写盤との接触動作に合わせ、倣い動作をすることと、面板をピンに装着する時には反押圧抵抗力を必要とする事から、装着に必要な摺動抵抗の、両者を兼ね備え持つ事が望ましい。
【００１１】  摺動抵抗は弾性材料、例えばゴム及びそれに類するものを利用し、ピン径より小径の穴へピンを挿入する事で得る事を特徴とする。
又、面板取り付け時と面板転写放出時の時間軸点に強摺動抵抗強度を、除く時間軸点に弱摺動抵抗強度のニ段階の強度差の摺動抵抗を持つ事が望ましい事から  それを得るために、同ピンに溝を講ずる事を特徴とする。
【作用】
【００１２】  本体部を着脱のする機構とし、支持本体を金属製とした事から摩耗が極小に抑える事が可能となる。
【００１３】  トムソン抜型の罫線刃、切れ刃、及びそれに類する刃を基準に装着することか各刃との位置関係を定数値化することが可能となる。
【００１４】  ピンの位置が定常的で有ることから、面板装着作業の軽便化が可能となる。
【００１６】  トムソン抜型に加工を施す事無く装着可能な事から、加工作業の省略が可能となる。
【発明の効果】
【００１７】  摩耗が極小となった事から、摩耗対策の為の修繕費用の削減が図れる。
【００１８】  面板転写精度が向上する事から、品質の向上と不具合品の軽減が可能となり、費用の削減が見込める。
【００１９】  トムソン抜型へのピン装着用加工が廃止出来る事から加工費用の削減が図れる
【００２０】  トムソン抜型の刃類を基準に装着することから雄（罫線刃）、雌（面板）の整合精度保証要因の削減が図れ、運用経費の削減へとつなげる事が可能となる。
【実施例】
【００２１】  本発明による取り付け方法を備えた面板の具体的実施例を、図を参照しながら説明する。【００２２】  図１はピン治具をトムソン抜型に装着した状態を示している。
【図−１】
2012081573.tif 000003
【手続補正書】
【提出日】平成22年12月14日(2010.12.14)
【手続補正１】
【補正対象書類名】明細書
【補正対象項目名】全文
【補正方法】変更
【補正の内容】
【発明の詳細な説明】
【発明の詳細な説明】
【産業上の利用分野】
【０００１】  本発明は例えば、段ボール、板紙又は樹脂フィルムの折れ線溝をプレス成型加工する時使用する雌型面板（面板と称するのが一般的である：以降面板と呼ぶ）を、トムソン抜型へ取り付け転写する工程で使用する面板装着用位置決めピンに関するものである。
【背景技術】
【０００２】  従来方法は、面板を装着するピンをトムソン抜型の合板部位に穴加工を施して取り付けるか、又は板ばね治具を取り付けてそれにピン装着するかのどちらかが一般的な方法である。
両者共に、ピンは面板転写後トムソン抜型から取り外すか、又は押し込む必要があり、転写毎にピンの抜き挿しをこすりながら繰り返し行う事になる。【０００３】  ピンの固持方法として、木質合板及び板ばねの弾性を利用した摩擦抵抗力により行い、抜き挿し着脱の繰り返しにより生じる摩耗又は応力により、穴形状及び板ばねとその取り付け部が変形し、ガタを発生させる。
ガタが発生する事により、ピン位置精度の悪化及び保持力低下をきたす。【０００４】  上記から現状方法では、面板装着用位置決めピンの繰り返し利用において、転写位置のズレ及び面板の保持力不足を発生させる状況を抱えている。
以上のことから、従来の雌型面板位置決め用ピンの取り付け方法は問題を抱えている。
【発明が解決しようとする課題】
【０００５】  上記両説明でも明らかなように、上記公知の取り付け方法から生じる問題を解決することにある。
【０００６】  本発明は、上記の問題点を解決するためになされたもので、繰り返し着脱してもピンの位置精度及び保持力が変化しない雌型面板位置決め用ピンを提供することに有る。
【課題を解決するための手段】
【０００７】  上記課題を解決するために、本発明は、雌型面板装着用ピンと、そのピンを支持する本体部位より成る構成とし、トムソン抜型へは着脱は本体部位を持って行うことを特徴とする。
【０００８】  本体部位は、トムソン抜型への装着機能と、ピンの支持機能を持ち、トムソン抜型への装着は本体部位をもって成し、トムソン抜型の合板及び打ち込まれた罫線刃、切れ刃、及びそれに類する刃に装着を行う事を特徴とする。
刃類に磁力を利用して装着することも一つの方法であり特徴に加える事も望ましい。
【０００９】  本体部に、摩耗対策及び精度保証を容易成しめる為に、金属材料を使用することを特徴とする。
【００１０】  加える事、本体部へ挿入するピンは、転写動作時に被転写盤と接触する可能性が大なる事から、被転写盤との接触動作に合わせ、倣い動作をすることと、面板をピンに装着する時には反押圧抵抗力を必要とする事から、装着に必要な摺動抵抗の、両者を兼ね備え持つ事が望ましい。
【００１１】  摺動抵抗は弾性材料、例えばゴム及びそれに類するものを利用し、ピン径より小径の穴へピンを挿入する事で得る事を特徴とする。
又、面板取り付け時と面板転写放出時の時間軸点に強摺動抵抗強度を、除く時間軸点に弱摺動抵抗強度のニ段階の強度差の摺動抵抗を持つ事が望ましい事から
それを得るために、同ピンに溝を講ずる事を特徴とする。
【作用】
【００１２】  本体部を着脱のする機構とし、支持本体を金属製とした事から摩耗が極小に抑える事が可能となる。
【００１３】  トムソン抜型の罫線刃、切れ刃、及びそれに類する刃を基準に装着することか各刃との位置関係を定数値化することが可能となる。
【００１４】  ピンの位置が定常的で有ることから、面板装着作業の軽便化が可能となる。
【００１６】  トムソン抜型に加工を施す事無く装着可能な事から、加工作業の省略が可能となる。
【発明の効果】
【００１７】  摩耗が極小となった事から、摩耗対策の為の修繕費用の削減が図れる。
【００１８】  面板転写精度が向上する事から、品質の向上と不具合品の軽減が可能となり、費用の削減が見込める。
【００１９】  トムソン抜型へのピン装着用加工が廃止出来る事から加工費用の削減が図れる
【００２０】  トムソン抜型の刃類を基準に装着することから雄（罫線刃）、雌（面板）の整合精度保証要因の削減が図れ、運用経費の削減へとつなげる事が可能となる。
【実施例】
【００２１】  本発明による取り付け方法を備えた面板の具体的実施例を、図を参照しながら説明する。【００２２】  図１はピン治具をトムソン拔型に装着した状態を示している。
【図面の簡単な説明】
【００２３】
【図１】はピン治具▲２▼をトムソン抜型▲６▼の刃▲５▼の任意の部位に、磁石の吸引力を利用して、装着した状態を示している。面板を装着するピン▲１▼のみの状態と放出ゴム▲３▼が取り付けられた状態を示している。
【符号の説明】
【００２４】  ▲１▼  ピン                      ▲４▼  磁石
▲２▼  治具本体部                ▲５▼  合板
▲３▼  功出ゴム                  ▲６▼  刃類